(57)【要約】【課題】視覚障害者向け緊急警報を家庭用電子（ＣＥ）デバイスに提供すること。【解決手段】音声・映像・ディスプレイデバイス（ＡＶＤＤ）は、ディスプレイと、ディスプレイを制御するプロセッサと、プロセッサがアクセス可能なコンピュータ可読記憶媒体とを含む。コンピュータ可読記憶媒体は、プロセッサによって実行される場合に、プロセッサに、緊急事態に関する情報とは関連しないＡＶコンテンツをＡＶＤＤに提示させる命令を含む。命令は、プロセッサに、緊急警報に関連するデータをＡＶＤＤで受信させ、緊急警報に関連するデータの受信に応答して、ＡＶＤＤに提示される音声を、ＡＶＤＤに提示されていてＡＶコンテンツに関連する第１の音声から、データに関連する第２の音声に切り替えて、第２の音声を提示させる。第２の音声は、緊急警報に関連するデータを受信した後に、第１の音声から第２の音声に切り替えるためのユーザ入力を受け取ることなく自動的にＡＶＤＤに提示される。【選択図】図１
2015037324.tif 000002
【特許請求の範囲】
【請求項１】
ディスプレイを制御するように構成されたプロセッサと、
前記プロセッサがアクセス可能な、搬送波ではない、少なくとも１つのコンピュータ可読記憶媒体と、
を備えた音声・映像デバイス（ＡＶＤ）であって、
前記コンピュータ可読記憶媒体は、前記プロセッサによって実行される場合に、前記プロセッサに、
現在の緊急事態又は差し迫った緊急事態に関する情報に関連しない音声・映像（ＡＶ）コンテンツを前記ディスプレイに提示させ、
緊急警報に関連するデータを前記デバイスで受信させ、
前記緊急警報に関連する前記データの受信に応答して、前記ディスプレイに提示される音声を、前記ディスプレイに提示されており前記ＡＶコンテンツに関連する第１の音声から、前記緊急警報に関する前記データに関連する第２の音声に切り替えて、前記第２の音声を提示させる命令を記録し、
前記第２の音声は、前記緊急警報に関連する前記データを受信した後に、前記第１の音声から前記第２の音声に切り替えるためのユーザ入力を受け取ることなく自動的に前記ディスプレイに提示されることを特徴とする音声・映像デバイス。
【請求項２】
前記ＡＶコンテンツの映像は、前記第２の音声に切り替えた後に前記ディスプレイに提示される、請求項１に記載の音声・映像デバイス。
【請求項３】
前記第２の音声は、緊急情報が前記ディスプレイに提示されることを示す可聴音を含む、請求項１に記載の音声・映像デバイス。
【請求項４】
前記命令は更に、前記プロセッサに、前記緊急警報に関連する前記データの受信に応答して、前記緊急警報に関連する緊急情報を前記ＡＶコンテンツの映像上に重ね合わさせる、請求項１に記載の音声・映像デバイス。
【請求項５】
前記緊急情報は、前記ディスプレイの一部分を横切ってスクロールするテキストである、請求項４に記載の音声・映像デバイス。
【請求項６】
前記データは、前記第２の音声を前記ディスプレイに提示するための音声データと、前記音声・映像デバイスで受信された場合に、少なくとも部分的に前記プロセッサに前記第２の音声に切り替えさせるメタデータとの両方を含む、請求項１に記載の音声・映像デバイス。
【請求項７】
音声は、前記緊急警報に関連する前記データを受信することに応答して、前記第２の音声に切り替えられるが、これは、前記緊急警報に関連するデータの受信時に前記第２の音声に切り替えるための前記音声・映像デバイスに関連する設定が、前記データを受信する前にアクティブに設定されていた場合に限られる、請求項１に記載の音声・映像デバイス。
【請求項８】
緊急事態に関する情報に関連しない音声・映像（ＡＶ）コンテンツをデバイスに提示する段階と、
現在の緊急事態又は差し迫った緊急事態に関するデータを受信する段階と、
前記データが、前記緊急事態の音声通知を前記デバイスに提示させるためのデータを含まないという判定に応答して、緊急事態に関する情報が利用可能であるということの通知を前記デバイスに少なくとも視覚的に提示する段階と、
前記データが、前記緊急事態の音声通知を前記デバイスに提示させるためのデータを含むという判定に応答して、前記受信したデータを少なくとも部分的に用いて、前記音声通知を前記デバイスに聴覚的に提示する段階と、
を含む方法。
【請求項９】
前記データが、前記緊急事態の音声通知を前記デバイスに提示させるためのデータを含むという前記判定に応答して、前記受信したデータを少なくとも部分的に用いて、前記音声通知を前記デバイスに聴覚的に提示する段階と、
前記受信したデータを少なくとも部分的に用いて、緊急事態に関連する情報が利用可能であるということの視覚的な通知を前記デバイスに視覚的に提示する段階と、
を更に含む、請求項８に記載の方法。
【請求項１０】
緊急情報が前記デバイスに提示される予定であることを示す可聴音は、前記音声通知よりも先行する、請求項８に記載の方法。
【請求項１１】
現在の緊急事態又は差し迫った緊急事態に関する前記データを受信することに応答して、更に、前記データが、前記緊急事態の音声通知を前記デバイスに提示させるためのデータを含むかどうかに関わらず、現在及び／又は差し迫った緊急事態に関する緊急情報が、前記デバイスのユーザが識別するのに利用可能であることを示す可聴音を提示する、請求項８に記載の方法。
【請求項１２】
前記データが、前記緊急事態の音声通知を前記デバイスに提示させるためのデータを含むという前記判定に応答して、前記デバイスの音声構成を第１の音声構成から第２の音声構成に切り替えて、前記第２の音声構成を用いて前記音声通知を聴覚的に提示し、前記第１の音声構成は、前記ＡＶコンテンツに関連する音声を提示するように構成され、前記第２の音声構成は、前記音声通知を提示するように少なくとも構成され、前記ＡＶコンテンツに関連する音声を提示しないように構成されることを特徴とする、請求項８に記載の方法。
【請求項１３】
前記データが、前記緊急事態の前記音声通知を前記デバイスに提示させるためのデータを含まないという前記判定に応答して前記デバイスに視覚的に提示される前記通知は更に、前記デバイスを操作して前記情報にアクセスする以外の措置を行うことによって前記緊急事態に関連する情報を求める必要があることを示す、請求項８に記載の方法。
【請求項１４】
搬送波ではないコンピュータ可読記憶媒体であって、該コンピュータ可読記憶媒体は、デバイスのプロセッサによって実行される場合に、
現在の緊急事態又は差し迫った緊急事態に関連しない音声・映像（ＡＶ）コンテンツをディスプレイに提示する段階と、
前記ＡＶコンテンツの映像の少なくとも一部分の上に視覚的に重ね合わせるための、現在の緊急事態又は差し迫った緊急事態に関連する情報を少なくとも含む第１のデータを前記デバイスで受信する段階と、
前記第１のデータを、前記情報の音声表現に有用な第２のデータに変換する段階と、
を含むロジックを実行するように前記プロセッサを構成する命令を記録する、コンピュータ可読記憶媒体。
【請求項１５】
前記命令は更に、プロセッサによって実行される場合に、前記第２のデータを用いて前記情報を聴覚的に提示するように前記プロセッサを構成する、請求項１４に記載のコンピュータ可読記憶媒体。
【請求項１６】
前記命令は更に、プロセッサによって実行される場合に、前記ディスプレイの音声構成を第１の音声構成から第２の音声構成に切り替えて、前記第２の音声構成を用いて前記情報を聴覚的に提示することによって、少なくとも部分的に前記情報を聴覚的に提示するように前記プロセッサを構成し、前記第１の音声構成は、前記ＡＶコンテンツの音声を提示するように構成され、前記第２の音声構成は、前記情報を提示し、前記ＡＶコンテンツの音声を提示しないように構成されることを特徴とする請求項１５に記載のコンピュータ可読記憶媒体。
【請求項１７】
前記命令は更に、プロセッサによって実行される場合に、前記情報の受信に応答して、前記ＡＶコンテンツの映像の少なくとも一部分の上に前記情報を自動的に視覚的に重ね合わせるように前記プロセッサを構成し、前記第１のデータは、前記ＡＶコンテンツのＡＶ映像上に重ね合わされた前記情報をスキャンして、そこから前記第２のデータを抽出することによって、少なくとも部分的に前記第２のデータに変換されることを特徴とする請求項１４に記載のコンピュータ可読記憶媒体。
【請求項１８】
前記命令は更に、プロセッサによって実行される場合に、前記情報を聴覚的に提示するように前記プロセッサを構成し、前記情報は、前記ディスプレイの音声構成を第１の音声構成から第２の音声構成に切り替えて前記第２の音声構成を用いて前記情報を聴覚的に提示することによって、少なくとも部分的に聴覚的に提示され、前記第１の音声構成は、前記ＡＶコンテンツの音声を提示するように構成され、前記第２の音声構成は、前記情報を提示し、前記ＡＶコンテンツの音声を提示しないように構成されることを特徴とする請求項１７に記載のコンピュータ可読記憶媒体。
【請求項１９】
前記情報は、前記ディスプレイの上及び外にスクロールするように、前記ＡＶコンテンツの映像の一部分の上に視覚的に重ね合わされる、請求項１７に記載のコンピュータ可読記憶媒体。
【請求項２０】
情報は、前記ディスプレイ上でスクロールする際にスキャンされる、請求項１９に記載のコンピュータ可読記憶媒体。
【発明の詳細な説明】
【技術分野】
【０００１】
本出願は、一般的に、視覚障害者向け緊急警報を家庭用電子（ＣＥ）デバイスに提供することに関する。
【背景技術】
【０００２】
暴風雨、洪水、火災、竜巻、猛暑、その他のような現在の又は差し迫った危険状況を人々に警告するために、緊急警報が放送されることがある。これらの緊急警報は、例えば、デバイスの電源を入れてＴＶチャンネルに合わせた際に、デバイス上に又はデバイスによって提示される場合があり、したがって、緊急警報提供者は、それを通じて情報を伝達するための媒体としてＴＶのチャンネルを用いることができる。「定時番組」を特別な音声・映像番組警報（例えば、臨時ニュース放送）で完全に中断するのではなく、緊急警報は、「定時番組」を視覚的及び聴覚的に提示することを継続しながら、例えば、デバイスに関連するディスプレイの下部にテキスト形式で視覚的に提示される場合がある。
【先行技術文献】
【非特許文献】
【０００３】
【非特許文献１】４７Ｕ．Ｓ．Ｃ．６２９条
【発明の概要】
【課題を解決するための手段】
【０００４】
本原理は、視覚障害者が、定時の音声・映像（ＡＶ）コンテンツと共にディスプレイに提供される緊急情報テキストを読み取るのを困難に思う場合があることを認識しており、したがって、緊急情報を聴覚的に聴取するために、ユーザのデバイス上で音声ストリームに便利にアクセス及び／又はそれに切り替えるためのシステム、デバイス、及び方法が提供される。したがって、デバイスは、映像及び／又は音声ディスプレイのようなディスプレイを制御するように構成されたプロセッサと、プロセッサがアクセス可能な、搬送波ではない、少なくとも１つのコンピュータ可読ストレージ媒体とを含む。コンピュータ可読記憶媒体は、プロセッサによって実行される場合に、プロセッサに、現在の緊急事態又は差し迫った緊急事態に関する関連情報ではない音声・映像（ＡＶ）コンテンツをディスプレイに提示させる命令を記録する。命令は更に、プロセッサに、緊急警報に関連するデータを受信させ、緊急警報に関連するデータの受信に応答して、ディスプレイに提示される音声を、ディスプレイに提示されていてＡＶコンテンツに関連する第１の音声から、緊急警報に関するデータに関連する第２の音声に切り替えることによって第２の音声を提示させる。第２の音声は、緊急警報に関連するデータの受信後に、第１の音声から第２の音声に切り替えるためのユーザ入力を受け取ることなく自動的にディスプレイに提示されると理解される。必要に応じて、緊急情報がディスプレイに提示されることを示す可聴音を第２の音声に含めることができる。
【０００５】
更に、一部の実施形態において、ＡＶコンテンツの映像のようなＡＶコンテンツを、第２の音声への切り替え後にディスプレイに提示することができ、例えば、緊急警報に関連するデータの受信に応答して、緊急警報に関連する緊急情報を映像上に重ね合わせることができる。例えば、緊急情報は、更にＡＶコンテンツの映像が提示される際に、ディスプレイの一部分を横切ってスクロールするテキストとして提示することができる。
【０００６】
更に一部の実施形態において、データは、第２の音声をディスプレイに提示するための音声データと、ディスプレイで受信される際に、少なくとも部分的にプロセッサに、第２の音声に切り替えさせるためのメタデータとの両方を含むことができる。更になお、例示的な実施形態では、音声は、緊急警報に関連するデータを受信することに応答して、第２の音声に切り替えることができるが、これは、緊急警報に関連するデータの受信時に第２の音声に切り替えるための、ディスプレイに関連する設定が、データの受信前にアクティブに設定されていた場合に限られる。
【０００７】
別の態様では、本方法は、緊急事態に関する情報に関連しない音声・映像（ＡＶ）コンテンツを家庭用電子（ＣＥ）デバイスに提示する段階と、次に現在の緊急事態又は差し迫った緊急事態に関するデータを受信する段階とを含む。本方法は更に、データが、緊急事態の音声通知をＣＥデバイスに提示させるためのデータを含まないという判定に応答して、緊急事態に関する情報が利用可能であるということの視覚的な通知をＣＥデバイスに視覚的に提示する段階を含む。本方法は更に、データが、緊急事態の音声通知をＣＥデバイスに提示させるためのデータを含むという判定に応答して、受信したデータを少なくとも部分的に用いて、ＣＥデバイスに音声通知を聴覚的に提示する段階を含む。
【０００８】
更に別の態様では、コンピュータ可読記憶媒体は、デバイスのプロセッサによって実行される場合に、現在の緊急事態又は差し迫った緊急事態に関連する音声・映像（ＡＶ）コンテンツを、プロセッサによって制御されるディスプレイに提示する段階と、ＡＶコンテンツの映像の少なくとも一部分の上に視覚的に重ね合わせるための情報を少なくとも含む第１のデータをデバイスで受信する段階と、第１のデータを、情報の音声表現に有用な第２のデータに変換する段階とを含むロジックを実行するようにプロセッサを構成する命令を含む。視覚的に重ね合わせるための情報は、現在の緊急事態又は差し迫った緊急事態に関連すると理解される。
【０００９】
本発明の詳細は、その構成及び動作の両方に関して、同様の符号が同様の要素を示す添付図面を参照しながら、完全に理解することができる。
【図面の簡単な説明】
【００１０】
【図１】本原理によるデバイスを含む例示的なシステムのブロック図である。
【図２】本原理により、緊急警報及び／又は情報を提示するようにデバイスによって実行されるロジックの例示的なフローチャートである。
【図３】本原理により、緊急警報及び／又は情報を提示するようにデバイスによって実行されるロジックの例示的なフローチャートである。
【図４】本原理により、１つ又はそれ以上のデバイスに緊急警報及び／又は情報を提供するようにサーバによって実行されるロジックの例示的なフローチャートである。
【図５】本原理により、緊急警報及び／又は情報を提供するための例示的なユーザインタフェース（ＵＩ）である。
【図６】本原理により、緊急警報及び／又は情報を提供するための例示的なユーザインタフェース（ＵＩ）である。
【図７】本原理により、緊急警報及び／又は情報を提供するための例示的なユーザインタフェース（ＵＩ）である。
【図８】本原理により、緊急警報及び／又は情報を提供するための例示的なユーザインタフェース（ＵＩ）である。
【図９】本原理により、緊急警報及び／又は情報を提供するための例示的なユーザインタフェース（ＵＩ）である。
【図１０】本原理により、緊急警報及び／又は情報を提供するための例示的なユーザインタフェース（ＵＩ）である。
【図１１】本原理により、緊急警報及び／又は情報を提供するための例示的なユーザインタフェース（ＵＩ）である。
【図１２】デバイスのユーザによって設定可能な少なくとも１つの視覚障害者向け設定を含むデバイスに関する例示的な設定ＵＩ図である。
【発明を実施するための形態】
【００１１】
映像ディスプレイ及び／又はスピーカを含む音声・映像ディスプレイデバイスを制御するセットトップボックスのようなナビゲーションデバイス、及び家庭用電子（ＣＥ）デバイスを更に含むデバイスのための方法、装置、及びシステムを開示する。引用により本明細書に組み込まれている４７Ｕ．Ｓ．Ｃ．６２９条のナビゲーションデバイスは、請求項の範囲内に含まれることが意図されている。
【００１２】
システムは、ネットワーク上で接続されたサーバ及びクライアント構成要素を含むことができ、データがクライアント構成要素とサーバ構成要素との間で交換される。クライアント構成要素は、１つ又はそれ以上のコンピューティングデバイスを含むことができる。これらは、テレビ（例えば、コンピュータ化されたＴＶ、インターネット対応ＴＶ、及び／又は高解像度（ＨＤ）ＴＶ）、パーソナルコンピュータ、ラップトップ、タブレットコンピュータ、及びコンピュータ化された電話、ナビゲーションデバイスを含む他のモバイルデバイスを含むことができる。これらのクライアントデバイスは、種々の動作環境で動作することができる。例えば、クライアントコンピュータの一部は、Ｍｉｃｒｏｓｏｆｔ  Ｗｉｎｄｏｗｓ(登録商標)オペレーティングシステムを実行することができる。他のクライアントデバイスは、Ｕｎｉｘ(登録商標)オペレーティングシステムの１つ又はそれ以上の派生物、又はＩＯＳ（Ｒ）オペレーティングシステムのような、Ａｐｐｌｅ（Ｒ）コンピュータ製のオペレーティングシステム、又はＧｏｏｇｌｅ（Ｒ）製のＡｎｄｒｏｉｄ（Ｒ）オペレーティングシステムを実行することができる。クライアントデバイス構成の実施例を示しているが、これらは単に例示的なものであり、限定していることを意味するものではない。これらの動作環境は更に、Ｍｉｃｒｏｓｏｆｔ  Ｉｎｔｅｒｎｅｔ  Ｅｘｐｌｏｒｅｒ（Ｒ）、Ｆｉｒｅｆｏｘ、Ｇｏｏｇｌｅ  Ｃｈｒｏｍｅ（Ｒ）、又は他の多くのブラウザプログラムのうちの１つのような、１つ又はそれ以上のブラウジングプログラムを含むことができる。クライアントデバイス上のブラウジングプログラムを用いて、以下に説明するサーバ構成要素によってホストとして提供されるウェブアプリケーションにアクセスすることができる。
【００１３】
サーバ構成要素は、ネットワーク上でデータを送受信するようにサーバを構成する命令を実行する１つ又はそれ以上のコンピュータサーバを含むことができる。例えば、一部の実施形態では、クライアント及びサーバ構成要素は、インターネット上で接続することができる。別の実施形態では、クライアント及びサーバ構成要素は、学校又は学区内のイントラネットのようなローカルイントラネット上で接続することができる。別の実施形態では、仮想プライベートネットワークをクライアント構成要素とサーバ構成要素との間で実装することができる。更に、次に、仮想プライベートネットワークは、インターネット又はイントラネット上で実装することができる。
【００１４】
サーバによって生成されたデータは、上述のクライアントデバイスで受信することができる。クライアントデバイスは更に、サーバで受信されるネットワークデータを生成することができる。サーバ構成要素は更に、ロードバランサ、ファイアウォール、キャッシュ、プロキシ、及び信頼性が高くセキュアなウェブサイトインフラストラクチャを実装するための当業者に公知の他のネットワークインフラストラクチャを含むことができる。１つ又はそれ以上のサーバ構成要素は、１又はそれ以上のメンバにセキュアなコミュニティを提供する方法を実装する装置を構成することができる。本方法は、サーバ構成要素に含まれるプロセッサで実行されるソフトウェア命令によって実行することができる。これらの方法は、以下に示すユーザインタフェースの実施例の１つ又はそれ以上を利用することができる。
【００１５】
本技術は、他の多数の汎用又は専用コンピューティングシステム環境又は構成で動作可能である。本発明での使用に適しているとすることができる公知のコンピューティングシステム、環境、及び／又は構成の実施例は、限定されるものではないが、ＴＶ、パーソナルコンピュータ、サーバコンピュータ、ハンドヘルド又はラップトップデバイス、マルチプロセッサシステム、プロセッサベースのシステム、プログラム可能な家庭用電子機器、ネットワークＰＣ、ミニコンピュータ、メインフレームコンピュータ、上記のシステム又はデバイスのうちのいずれかを含む分散コンピューティング環境、及び同様のものを含む。
【００１６】
本明細書で使用するように、命令は、システム内の情報を処理するためにコンピュータに実装されたステップに言及する。命令は、ソフトウェア、ファームウェア、又はハードウェア内に実装することができ、システムの構成要素によって行われるプログラムされたあらゆるタイプのステップを含むことができる。
【００１７】
プロセッサは、ＡＭＤ（Ｒ）Ａｔｈｌｏｎ（Ｒ）ＩＩ又はＰｈｅｎｏｍ（Ｒ）ＩＩプロセッサ、Ｉｎｔｅｌ（Ｒ）ｉ３（Ｒ）／ｉ５（Ｒ）／ｉ７（Ｒ）プロセッサ、Ｉｎｔｅｌ  Ｘｅｏｎ（Ｒ）プロセッサ、又はＡＲＭ（Ｒ）プロセッサの任意の実施形態のような、従来型の任意の汎用シングル又はマルチチッププロセッサとすることができる。更に、プロセッサは、ＯＭＡＰプロセッサ、Ｓｎａｐｄｒａｇｏｎ（Ｒ）のようなＱｕａｌｃｏｍｍ（Ｒ）のプロセッサ、又はデジタルシグナルプロセッサ若しくはグラフィックスプロセッサを含む従来型の任意の専用プロセッサとすることができる。プロセッサは、典型的に、従来型のアドレス線、従来型のデータ線、及び１つ又はそれ以上の従来型の制御線を有する。
【００１８】
システムは、詳細に説明する種々のモジュールから構成される。理解できるように、各モジュールは、種々のサブルーチン、プロシージャ、定義ステートメント、及びマクロを含む。ソフトウェア／ロジック／モジュールの各々の記述は、好ましいシステムの機能を記述するのに好都合に用いられる。したがって、ソフトウェア／ロジック／モジュールの各々によって行われる処理は、他のソフトウェア／ロジック／モジュールの１つに適宜再分配されること、単一のソフトウェア処理／ロジックフロー／モジュール内に共に組み合わせること、或いは、例えば共有可能なダイナミックリンクライブラリで利用可能にすることができる。
【００１９】
システムは、Ｃ＃、Ｃ、Ｃ＋＋、ＢＡＳＩＣ、Ｐａｓｃａｌ、又はＪａｖａ(登録商標)のようないずれかの従来型のプログラミング言語で記述して、従来型のオペレーティングシステムの下で実行することができる。Ｃ＃、Ｃ、Ｃ＋＋、ＢＡＳＩＣ、Ｐａｓｃａｌ、Ｊａｖａ(登録商標)、及びＦＯＲＴＲＡＮは、多数の商用コンパイラが実行可能コードを作成するのに使用可能な業界標準のプログラミング言語である。システムは更に、Ｐｅｒt  Ｐｙｔｈｏｎ、又はＲｕｂｙのようなインタープリタ型言語を用いて記述することができる。これらは、単に実施例であり、限定されることを意図するものではない。
【００２０】
更に、当業者であれば、本明細書に開示する実施形態に関連して説明する種々の例示的な論理ブロック、モジュール、回路、及びアルゴリズムステップは、電子ハードウェア、コンピュータソフトウェア、又はそれら両方の組み合わせとして実装できることを理解するであろう。これらの、ハードウェア及びソフトウェアの互換性を明確に説明するために、種々の例示的な構成要素、ブロック、モジュール、回路、及びステップを、これらの機能に関して一般的に上記に説明した。このような機能をハードウェアとして実装するか又はソフトウェアとして実装するかは、システム全体に与えられた特定のアプリケーション及び設計上の制約条件に依存する。当業者であれば、特定のアプリケーションの各々に関して様々な方法で、説明する機能を実装することができるが、このような実装方法の決定が、本開示の範囲からの逸脱を引き起こすと解釈すべきではない。
【００２１】
本明細書に開示する実施形態に関連して説明する種々の例示的な論理ブロック、モジュール、及び回路は、汎用プロセッサ、デジタルシグナルプロセッサ（ＤＳＰ）、特定用途向け集積回路（ＡＳＩＣ）、フィールド・プログラマブル・ゲート・アレイ（ＦＰＧＡ）、他のプログラム可能な論理素子、離散ゲート若しくはトランジスタロジック、離散ハードウェア構成要素、又は本明細書で説明する機能を実行するよう設計されたこれらの任意の組み合わせを用いて実装又は実行することができる。汎用プロセッサは、マイクロプロセッサとすることができるが、代替形態では、プロセッサは、いずれかの従来型のプロセッサ、コントローラ、マイクロコントローラ、又は状態マシンとすることができる。プロセッサは更に、コンピューティングデバイスの組み合わせ、例えば、ＤＳＰとマイクロプロセッサとの組み合わせ、複数のマイクロプロセッサ、ＤＳＰコアと併せた１つ又はそれ以上のマイクロプロセッサ、或いは他のこのようないずれかの構成として実装することができる。
【００２２】
１つ又はそれ以上の例示的な実施形態において、説明する機能及び方法は、ハードウェア、ソフトウェア、又はプロセッサ上で実行されるファームウェア、又はこれらのいずれかの組み合わせの形で実装することができる。機能は、ソフトウェアで実装される場合には、１つ又はそれ以上の命令又はコードとして、コンピュータ可読記憶媒体上に保存する又はそれによって伝達することができる。コンピュータ可読媒体は、コンピュータの記憶媒体と、１つの場所から別の場所へのコンピュータプログラムの転送を円滑にするいずれかの媒体を含む通信媒体との両方を含む。しかしながら、コンピュータ可読記憶媒体は、コンピュータがアクセス可能な、搬送波ではない、いずれかの利用可能な媒体とすることができる。例示的なものとして、限定されるものではないが、このようなコンピュータ可読記憶媒体は、ＲＡＭ、ＲＯＭ、ＥＥＰＲＯＭ、ＣＤ−ＲＯＭ、又は他の光ディスクストレージ、磁気ディスクストレージ、又は他の磁気ストレージデバイス、或いは所望のプログラムコードを命令又はデータ構造の形式で保存するために使用することができ、コンピュータによってアクセス可能ないずれかの他の媒体を含むことができる。更に、あらゆる接続は、適切には、コンピュータ可読の媒体と呼ぶことができる。例えば、ソフトウェアが、同軸ケーブル、光ファイバーケーブル、ツイストペア、デジタル加入者回線（ＤＳＬ）、又は赤外線、無線、及びマイクロ波のような無線技術を用いてウェブサイト、サーバ、又は他のリモートソースから送信される場合には、同軸ケーブル、光ファイバーケーブル、ツイストペア、ＤＳＬ、又は赤外線、無線、及びマイクロ波のような無線技術は、媒体の定義に含まれる。ディスク（ｄｉｓｋ及びｄｉｓｃ）は、本明細書で使用できるように、コンパクトディスク（ＣＤ）、レーザーディスク(登録商標)、光ディスク、デジタル多目的ディスク（ＤＶＤ）、フロッピー(登録商標)ディスク、及びブルーレイディスクを含み、この場合、ディスク（ｄｉｓｋ）は通常、データを磁気的に再生するが、ディスク（ｄｉｓｃ）はデータをレーザーで光学的に再生する。更に、上記の組み合わせは、コンピュータ可読媒体の範囲内に含めるべきである。
【００２３】
前述の説明は、本明細書に開示するシステム、デバイス、及び方法のいくつかの実施形態について詳述している。しかしながら、前述の説明が本文でいかに詳細に示されているとしても、システム、デバイス、及び方法は、多くの方法で実施できることが理解されるであろう。更に、本明細書で説明するように、本発明の特定の機能又は態様を説明する際に特定の技術を利用することは、本明細書において、用語は、それが関連する技術の機能又は態様のいずれかの特定の特徴を含んでいると限定されるように再定義されることを示唆するとみなすべきではない点に留意されたい。
【００２４】
当業者であれば、説明する技術の範囲から逸脱することなく、種々の修正及び変更を加えることができることが理解されるであろう。このような修正及び変更は、実施形態の範囲内に含まれるものである。当業者であれば、一実施形態に含まれる要素は、別の実施形態に置き換えることができ、説明する実施形態からの１つ又はそれ以上の要素は、他の説明する実施形態と共にあらゆる組み合わせで含めることができることが理解されるであろう。例えば、本明細書で説明する及び／又は図面に図示する種々の構成要素は、いずれもが、組み合わせること、置き換えること、又は別の実施形態から除外することができる。
【００２５】
本明細書でのあらゆる複数形及び／又は単数形の用語の使用に関して、当業者であれば、実質的には、文脈及び／又は用途に適切になるように、複数形から単数形に及び／又は単数形から複数形に置き換えて解釈することができる。明確にするために、種々の単数形／複数形の置換は、本明細書において明示的に説明される場合がある。
【００２６】
当業者であれば、概して、本明細書で用いられる用語は、一般的に、「オープンな」用語（例えば、「含んでいる」という用語は、「含んでいるが限定されるものではない」と解釈されるべきであり、「有する」という用語は、「少なくとも有する」と解釈されるべきであり、「含む」という用語は、「含むが限定されるものではない」と解釈されるべきである等）として意図されていることを理解するであろう。更に、導入される特許請求の範囲での列挙に特定の数字が意図されている場合には、このような意図は特許請求の範囲に明示的に記載され、このような列挙がない場合には、このような意図がないということを、当業者であれば理解するであろう。例えば、理解を助けるものとして、以下の特許請求の範囲は、特許請求の範囲での列挙を導入するための導入語句「少なくとも１つの」及び「１つ又はそれ以上の」の使用を含むことができる。しかしながら、このような語句の使用は、同じ特許請求の範囲が導入語句「１つ又はそれ以上の」又は「少なくとも１つの」、及び「１つ（ａ又はａｎ）」などの不定冠詞を含む場合でさえ、不定冠詞「１つ（ａ又はａｎ）」による特許請求の範囲での列挙の導入によって、このような導入される特許請求の範囲での列挙を含むいずれかの特定の特許請求の範囲が、このような列挙を１つのみ含む実施形態に限定されることを示唆すると解釈されるべきではなく（例えば、一般的に、「ａ」及び／又は「ａｎ」は、「少なくとも１つの」又は「１つ又はそれ以上の」を意味すると解釈されるべきである）、同じことが、特許請求の範囲での列挙の導入に用いられた定冠詞の使用についても当てはまる。更に、導入される特許請求の範囲での列挙に特定の数字が明示的に記述されている場合でさえ、このような列挙は、一般的に、少なくとも列挙された数字を意味するものと解釈されるべきであることを、当業者であれば認識するであろう（例えば、他の修飾語句のない「２つの列挙」の素の列挙は、一般的に、少なくとも２つの列挙、又は２つ又はそれ以上の列挙を意味する）。更に、「Ａ、Ｂ、及びＣ、その他のうちの少なくとも１つ」に類似する規則が用いられる場合には、一般的に、このような構成は、当業者であればこの規則を理解するであろうという意味で意図されている（例えば、「Ａ、Ｂ、及びＣのうちの少なくとも１つを有するシステム」は、限定されるものではないが、Ａのみ、Ｂのみ、Ｃのみ、Ａ及びＢを共に、Ａ及びＣを共に、Ｂ及びＣを共に、及び／又はＡ、Ｂ、及びＣを共に、その他を有するシステムを含む）。「Ａ、Ｂ、又はＣ、その他のうちの１つ」に類似する規則が用いられる場合には、一般的に、このような構造は、当業者であればこの規則を理解するであろうという意味で意図されている（例えば、「Ａ、Ｂ、又はＣのうちの少なくとも１つを有するシステム」は、限定されるものではないが、Ａのみ、Ｂのみ、Ｃのみ、Ａ及びＢを共に、Ａ及びＣを共に、Ｂ及びＣを共に、及び／又はＡ、Ｂ、及びＣを共に、その他を有するシステムを含む）。更に、２つ又はそれ以上の代替的な用語を表すいずれかの離接語及び／又は離接句は、仮想的に、それが説明、特許請求の範囲、又は図面内かどうかに関わらず、用語のうちの１つ、用語のうちのいずれか、又は両方の用語を含む可能性を包含すると理解されるべきであることを、当業者であれば理解するであろう。例えば、語句「Ａ又はＢ」は、「Ａ」、「Ｂ」、又は「Ａ及びＢ」の可能性を含むものと理解されるであろう。本明細書では種々の態様及び実施形態を開示するが、別の態様及び実施形態が明らかであるとすることができる。本明細書に開示する種々の態様及び実施形態は、例示的なものであり、限定されるものではない。
【００２７】
ここで図１を参照すれば、例示的なシステム１０は、例示的な実施形態において、例えば、高解像度ＴＶ及び／又はインターネット対応でコンピュータ化されたＴＶのようなテレビ（ＴＶ）であるデバイス１２、及び／又はデバイスの音声／映像ディスプレイを制御するセットトップボックスのようなナビゲーションデバイスであるデバイス１２の少なくとも１つを含む。説明を簡単にするために、デバイス１２は、本明細書に示す実施例では、家庭用統合電子デバイス（ＣＥ）であることを前提としている。ＴＶに加えて、ＣＥデバイス１２は、無線及び／又は携帯電話、コンピュータ化された電話機（例えば、インターネット対応及びタッチ対応携帯電話）、ラップトップコンピュータ、デスクトップコンピュータ、タブレットコンピュータ、ＰＤＡ、ビデオゲームコンソール、ビデオプレーヤ、パーソナルビデオレコーダ、コンピュータ化された時計、音楽プレーヤ、その他とすることができる。上記に関わらず、デバイス１２は、本原理を実行する（例えば、本原理により緊急情報を提示する）ように構成されることを理解されたい。
【００２８】
例示的なＣＥデバイス１２をより詳細に説明すると、デバイスは、タッチ対応ディスプレイ１４と、本明細書で説明するような緊急警報に関連する音声のような音声を出力するための１つ又はそれ以上のスピーカ１６と、例えば、本原理により視覚障害者向け設定を設定すること及び／又は緊急情報を聴取するために音声入力を切り替えることのような、ＣＥデバイス１２を制御するためにプロセッサ２０に入力及び／又はコマンド（例えば、聴覚的コマンド）を提供するための、音声受信機／マイクロフォン、キーパッド、タッチパッド、その他のような、少なくとも１つの追加の入力デバイス１８と、を含む。ＣＥデバイス１２は更に、プロセッサ２０の制御下でインターネット、ＷＡＮ、ＬＡＮ、その他のような少なくとも１つのネットワーク２４上での通信のためのネットワークインタフェース２２を含み、プロセッサ２０は、本明細書に開示するような緊急情報を提示することを含みＣＥデバイス１２を制御することを理解されたい。更に、ネットワークインタフェース２２は、例えば、有線又は無線モデム、又はルータ、或いは例えば、無線電話送受信機のような他の適切なインタフェースとすることができる。
【００２９】
上記に加えて、ＣＥデバイス１２は、例えば、ＣＥデバイス１２上でのコンテンツの提示のためにセットトップボックス又はブルーレイディスクプレーヤのような構成要素デバイスから入力（例えば、ＡＶコンテンツ）を受け取るためのＵＳＢ又はＨＤＭＩ(登録商標)ポートのような音声・映像インタフェース２６、並びに、ディスクベースストレージ又はソリッドステートストレージのような有形のコンピュータ可読記憶媒体２８を含むことができる。媒体２８は、本原理によりプロセッサ２０によって実行するための、本明細書で説明するソフトウェアコード及び／又はロジックを格納すると理解される。更になお、ＣＥデバイス１２は更に、ＴＶチューナ３０と、例えば、特定の地理的領域に関する緊急警報が、ＣＥデバイス１２が配置された地域を含むか否か、したがってＣＥデバイス１２に提示される必要があるか否か（例えば、警報に関する地域であるというＣＥデバイス１２による判定に応答して）を判定することなどの本原理を実行するために、少なくとも１つの衛星から地理的位置情報を受信してプロセッサ２０に情報を提供するように構成されたＧＰＳ受信機３２とを含むことができるが、ＧＰＳ受信機以外の他の好適な位置受信機を本原理により使用できることを理解されたい。
【００３０】
更に、ＣＥデバイス１２は、ＣＥデバイス１２に関連し、ＣＥデバイス１２に（例えば、プロセッサ２０に）入力（例えば、コマンド）を提供することによってＣＥデバイス１２を制御するように構成されたリモート・コマンダ（ＲＣ）３６と通信するための送信機／受信機３４を含むことを理解されたい。したがって、ＲＣ３６は更に、送信機／受信機３４を通じてＣＥデバイス１２と通信するための送信機／受信機器３８を有する。ＲＣ３６は更に、キーパッド又はタッチスクリーンディスプレイのような入力デバイス４０、並びにＲＣ３６を制御するためのプロセッサ４２、及びディスクベースストレージ又はソリッドステートストレージのような有形のコンピュータ可読記憶媒体４４を含む。図示していないが、幾つかの実施形態において、ＲＣ３６は更に、本原理によりＣＥデバイス１２に入力／コマンドを提供するために用いることができるタッチ対応ディスプレイ画面及びマイクロフォンを含むこともできる。
【００３１】
更に図１を参照して、ここでシステム１０のサーバ４６に言及する。サーバ４６は、少なくとも１つのプロセッサ４８と、ディスクベース又はソリッドステートストレージのような少なくとも１つの有形のコンピュータ可読記憶媒体５０と、プロセッサ４８の制御の下でネットワーク２４上でのＣＥデバイス１２（及び、更に、簡潔に説明するケーブルヘッドエンド５４）との通信を可能にする少なくとも１つのネットワークインタフェース５２とを含み、実際には、サーバ４６は、ＣＥデバイス１２と、サーバ４６と、ケーブルヘッドエンド５４との間の通信を容易にすることができる。ネットワークインタフェース５２は、例えば、有線又は無線のモデム又はルータ、或いは例えば、無線電話送受信機のような他の適切なインタフェースとすることができることに留意されたい。したがって、幾つかの実施形態において、サーバ４６は、インターネットサーバとすること、及びＣＥデバイス１２への緊急警報情報の送信を容易にすることができ、例示的な実施形態では、ＣＥデバイス１２がサーバ４６を介して「クラウド」環境にアクセスできるように「クラウド」機能を包含及び実行することができる。追加的に、プロセッサ２０、４２、及び４８は、本明細書に開示するようなロジック及び／又はソフトウェアコードを実行するように構成されることに留意されたい。
【００３２】
上述のヘッドエンド５４を説明すると、図１ではヘッドエンド５４は、特にケーブルヘッドエンドとしてラベル付けされているが、同様に衛星ヘッドエンドとすることができることを理解されたい。ヘッドエンド５４は、例えば、クローズドネットワーク上で（有線又は無線接続を通じて）ＣＥデバイス１２及び／又はサーバ４６と通信すると理解され、更に、ヘッドエンド５４は、ネットワーク２４のような広域及び／又はオープンネットワーク上でＣＥデバイス１２及び／又はサーバ４６と通信できるように、それ自体が、ネットワークインタフェース（図示せず）を含むことができる。更になお、ヘッドエンド５４は、非インターネットサーバに有線又は無線で接続すること、及び／又は随意的に非インターネットサーバと統合することができることを理解されたい。いずれの場合にも、ヘッドエンド５４は、本原理によりＣＥデバイス１２への緊急警報情報の送信を容易にすることができることを理解されたい。
【００３３】
ここで図２を参照すれば、ＣＥデバイス１２のようなＣＥデバイスが本原理により緊急警報情報を提示するように実行するロジックの例示的なフローチャートが示されている。ロジックは、ブロック６０から開始して、ロジックは、ユーザが視覚障害を有することの通知をユーザから受信し、この通知は、例示的な実施形態では、例えば、ロジックを実行するＣＥデバイスの１つ又はそれ以上の視覚障害者向け設定の（ユーザ）設定に基づいて受信することができる。視覚障害者向け設定は、単に、例えば、字幕を通常の表示設定よりも比較的大きいテキストで提示すること、及び／又は音量を増幅することを含むことができ、いずれの場合にも、視覚障害者を支援するためのこのような設定の構成は、ここで説明する緊急警報の原理により、これらの設定の１つ又はそれ以上の構成に基づいて緊急情報を提示するために使用することができる。更に、緊急警報設定は特に、本原理により視覚障害者に緊急情報（例えば、それのみ）を提供するようにＣＥデバイスを構成するために、上述の設定に加えて又はそれの代わりに含めることができ、更になお、「一般的な」視覚障害者向け設定は、ユーザによって構成された後に、更なるユーザ入力がなくとも上述のような他の１つ又はそれ以上のＣＥデバイス設定を自動的に構成して視覚障害者へのコンテンツ（例えば、ＡＶコンテンツ及び緊急警報情報）の提示を更に支援することができる。
【００３４】
いずれの場合にも、ブロック６０においてユーザ通知を受信した後に、ロジックは、ブロック６２に進み、例示的な実施形態では、緊急警報に関連せず、この点では、例えば、シチュエーション・コメディ、リアリティＴＶ、スポーツイベント放送、映画、トークショー、その他のような「定時番組」とすることができる音声・映像（ＡＶ）コンテンツをＣＥデバイスに提示する。次にロジックは、ブロック６４に進み、ロジックは、例えば、上述のサーバ４６又はケーブルヘッドエンド５４のようなサーバ又はケーブルヘッドエンドを介して、例えば、コンテンツプロバイダ又は政府機関から緊急警報情報を受信する。
【００３５】
その後、ロジックは、判定ダイアモンド６６に進み、ロジックは、緊急警報用の副音声を利用可能であるかどうか（例えば、緊急警報に関する情報の音声を、ブロック６４で受信した緊急警報情報で受け取ったかどうか）を判定する。判定ダイアモンド６６で否定判定が得られた場合には、ロジックは、ブロック６８に進み、ロジックは、どのような緊急警報情報を受信したとしても、例えば、この例示的な事例では、視覚的提示に関する情報、及び／又は聴覚的な緊急警報情報（例えば、図２のロジックを実行するＣＥデバイスが位置している地理的領域に関する情報）を現時点では提示できないことの視覚的警報に関する情報のいずれか又は両方を提示する。このような視覚的警報は更に、例えば、緊急警報情報を別の場所で（例えば、別のＣＥデバイス、ＡＭ／ＦＭラジオ、その他を用いて）求める必要があるという通知を含むことができる。更に、ブロック６８において、緊急情報が現在提示されている又は提示される予定であることを示す可聴音をＣＥデバイスに聴覚的に提供することができ、可聴音は、ブロック６４において緊急警報情報と共に受信されること、及び／又は緊急警報情報を受信した際に（例えば、自動的に）提示するためにＣＥデバイスの記憶媒体にローカルに保存されることのいずれか又は両方とでき得ることを理解されたい。このようにして、ロジックは、判定ダイアモンド６６における否定判定後にブロック６８で完了することができる。
【００３６】
しかしながら、代わりに、判定ダイアモンド６６において肯定判定が得られた場合には、ロジックは、ブロック６８ではなく代わりにブロック７０に進む。ブロック７０において、ブロック６４で受信した緊急警報情報を含む視覚的な警報、並びに上述の可聴音のような可聴音を提示する。ブロック７０では更に、ロジックが、音声（例えば、入力）を第１の音声から第２の音声（例えば、ＡＶコンテンツからの音声の代わりに副音声ストリーム及び／又は副音声入力）に切り替えることができる。したがって、そうでなければ、図２のロジックを実行するＣＥデバイスのディスプレイ上に視覚的に提示された、例えば比較的小さい緊急警報表示を識別できないであろうＣＥデバイスの視覚障害ユーザによって（例えば、聴覚的）認識可能な、可聴形式で提示された緊急警報情報を含む第２の音声がブロック７０で提供される。次にロジックは、ブロック７０で終了するか又は随意的にブロック７２に進むかのいずれかであり、後者では、音声表現が第２の音声／副音声に切り替えられたことを示す視覚的な通知（例えば、ＣＥデバイスのディスプレイ全体を占めて、ＡＶコンテンツの映像を完全に見えないようにするような比較的大きなテキストで）をＣＥデバイスのディスプレイに提示して、緊急警報情報は、例えば、表示中の定時のＡＶコンテンツの一部分であるフィクション情報であるとユーザを混乱させないように提示されて視覚障害の視聴者に通知するのではなく、ユーザが認識すべき実際の緊急事態に関連することを視覚障害の視聴者に通知することができる。
【００３７】
図３を参照しながら詳細な説明を続けると、ＣＥデバイス１２のようなＣＥデバイスによって、本原理により緊急警報情報を提示するように実行されるロジックの別の例示的なフローチャートが示されている。ブロック７４から開始して、例えば、図２のブロック６２を参照しながら上述したようなＡＶコンテンツの表示に類似するＡＶコンテンツがＣＥデバイスに提示される。次にロジックは、ブロック７４から判定ダイアモンド７６に進み、ロジックは、緊急情報が、例えば、字幕／字幕データ、スクロールテキストを介してＣＥデバイスのディスプレイに提示されているか（例えば、ＡＶコンテンツと合成されている、及び／又はＡＶコンテンツの映像上にスーパーインポーズ処理／重ね合わせされている）、及び／又はＡＶコンテンツに付随するメタデータ内に含まれるかを（例えば、検出、処理、及び／又はスキャンによって）判定する。判定ダイアモンド７６で否定判定が得られた場合には、ロジックは、ＡＶコンテンツを提示することを継続し、ここで肯定判定が得られるようになるまで、判定ダイアモンド７６の判定を継続する。
【００３８】
したがって、判定ダイアモンド７６で肯定判定が得られると、ロジックは、ブロック７８に進み、ロジックは、例えば、ＡＶコンテンツの映像部分で検出されたテキスト及び／又はデータ、映像部分に重ね合わされたテキスト及び／又はデータ、字幕情報に含まれたテキスト及び／又はデータ、及び／又はメタデータに含まれたテキスト及び／又はデータを音声形式に変換する。次にロジックは、ブロック８０に進み、ロジックは、ＣＥデバイスの音声（例えば、入力）を第２の音声構成（例えば、図２のブロック７０を参照しながら上記で説明したように）に切り替えて、変換された緊急警報情報を聴覚的に提示する。したがって、本原理は、テキスト−音声変換ソフトウェア／モジュール及び／又は音声認識技術を本原理により使用して、ＣＥデバイス上の視覚的な提示に関するデータ／情報を、聴覚的に提示されるコンテンツに変換することによって、視覚障害の視聴者が、そうでなければ（例えば、ディスプレイの下部に小さいテキストで）視覚的に提示されただけでは認識すること及び／又は識別することができない緊急情報を、視覚障害の視聴者に通知することを認識する。
【００３９】
ここで図４を参照すれば、サーバ及び／又はヘッドエンド（例えば、サーバ４６又はケーブルヘッドエンド５４のような）によって、ＣＥデバイス１２のような１つ又はそれ以上のＣＥデバイスに緊急警報情報を提供するように実行されるロジックの例示的なフローチャートが示されている。ブロック８２から開始して、ロジックは、ＣＥデバイスに提供するための緊急警報情報を受信又は他の方法で取得する。このような情報は、例えば、政府機関から受信することができるが、緊急情報は、サーバ又はヘッドエンドが、例えば気象検知機能を含み、緊急事態が発生している又は差し迫っていると判定する場合には、例えば、サーバ又はヘッドエンド自体から発信することができることを理解されたい。
【００４０】
上記に関わらず、ブロック８２の後に、ロジックは、ブロック８４に進み、ロジックは、ＣＥデバイスに提供されるデータ及び／又はＡＶコンテンツ内に、少なくとも緊急警報情報に関する副音声（例えば、更に、提供される定時のＡＶコンテンツの音声の代わりに提示される補助音声）、及び／又は緊急警報情報に同様に関連する視覚的な提示に関する追加のメタデータ又は情報を含める。次にロジックは、ブロック８６で完了し、ロジックは、副音声、メタデータ、及び／又は視覚的な提示に関する情報を、図２を参照しながら上述した可聴音のような可聴音と共にＣＥデバイスに提供する。しかしながら、何らかの理由で、ロジックが、副音声を提供することができない場合、又は後の時間まで副音声を提供することができない場合には、代わりにこのような通知をＣＥデバイスに送信することができる（例えば、通知の可聴及び／又は視覚的な提示に関するデータを含む）ことに留意されたい。上記に関わらず、この通知には、可聴音、及び視覚的な重ね合わせ表示に関する他の緊急警報情報が伴うことがあるが、いくつかの実施形態では、通知のみを提供することができることを理解されたい。付加的に、例示的な実施形態において、通知は、上述のように緊急警報情報を別の場所で求めるべきであることを示すことができることに留意されたい。
【００４１】
図５を参照しながら続ければ、緊急警報がその上に重ね合わされたＡＶコンテンツの映像の例示的なスクリーンショットが示されている。このように、カー・チェイスを含む映画のシーンの映像９０が、ＣＥデバイスのディスプレイ９２上に表示されている。緊急警報９４は、ディスプレイ９２の下部に沿って存在し、この場合には、竜巻がＣＥデバイスの位置に接近中であることを視聴者に警告するテキスト９６を含む（例えば、ＣＥデバイス上のＧＰＳ受信機からのＧＰＳ座標に基づいて）。例示的な実施形態では、テキスト９６は、画面上及び画面外に左から右にスクロールすることができるが、スクロールに加えて又はその代わりに、テキスト９６は、例えば、出現し、その後一瞬で消失し、その後再度出現するように断続的に明滅又は点滅することができる。テキスト９６を含む警報９４は、ディスプレイ９２の比較的小さい部分に提示されることを理解することができる。
【００４２】
しかしながら、図６は、この場合もやはり、ディスプレイ９２上の映像９０を示しているが、代わりに、図５の警報９４及びテキスト９６よりも大きく提示されたテキスト１００を含む緊急警報９８を示している。比較的大きい緊急警報９８及びテキスト１００は、ＣＥデバイスが本明細書で説明するような１つ又はそれ以上の視覚障害者向け設定に従って設定されている場合に、例えば緊急警報情報の受信に応答して提示することができる（更に、実際に、例えば図６から１１は各々、ＣＥデバイスが１つ又はそれ以上の視覚障害者向け設定に従って設定されている場合に提示される情報を示していることを理解されたい）。依然として図６を参照すれば、警報９８は、視覚障害者向け設定がいずれもアクティブに設定されていなくとも、警報９８が提示されるディスプレイ上の範囲が、警報９４が提示される範囲よりも少なくとも一次元において大きい（例えば、本事例では、高さがより大きい）という点で比較的より大きく提示されることを理解されたい。更に、テキスト１００は、少なくとも一次元においてテキスト９６よりも大きいが、本事例では、テキスト１００は、ディスプレイ９２のより大きい垂直部分及び水平部分の両方を消費することに留意されたい。
【００４３】
更になお、図６に示すような緊急警報情報のより大きい提示のために、いくつかの実施形態では、ＣＥデバイス設定が１つ又はそれ以上の視覚障害者向け設定に関してアクティブに設定されていない状態で緊急警報が提示される場合よりも、比較的より少ないテキストを（例えば、常に）提示することができる。しかしながら、上記に関わらず、重要な緊急情報は伝達される。具体的に警報９８に関して、緊急事態が存在するという事実が、例示的なテキスト「緊急事態！」によって伝達され、緊急事態の特質（例えば、緊急事態を引き起こす気象条件）が感嘆文「竜巻！」によって伝達されて、ＣＥデバイスの地域で竜巻が発生していることを示す。上記に関わらず、比較的より少ないテキストは、すべての実施形態において常に提示する必要はなく、例えば、ＣＥデバイス設定が１つ又はそれ以上の視覚障害者向け設定に関してアクティブに設定されていない場合に、その他の場合には提示されるであろう同じ又は実質的に同じテキストは、例えば、画面上又は外でテキストをスクロールすることによって依然として提示することができ、テキストは、視覚障害の視聴者にとって依然として比較的より大きく提示でき、それでもなお、利用可能なすべての緊急警報が提示される。
【００４４】
次に移る前に、図７から１１の緊急警報は、このような警報及びテキストの提示が、例えば、ＣＥデバイス自体の視覚障害者向け設定のうちの少なくとも１つがアクティブに設定されたＣＥデバイスに基づいて、比較的より大きい寸法にすることができる点で、構成においては図６の警報９８に類似することができ（警報に提示されたテキスト／情報がテキスト１００と同一でない場合があるとしても）、したがって、以下で説明する警報は、本原理により視覚障害を有する視聴者によって容易に識別可能とすることができる点で警報９８に類似することを理解されたい。以下で更に説明するような視覚障害者のためのこのような警報は、視覚障害者向け警報と呼ばれる。
【００４５】
ここで具体的に図７を参照するが、この場合もやはり、ディスプレイ９２に提示された映像９０が示されている。本原理により、視覚障害者向け警報１０２がディスプレイ９２に提示され、この警報１０２は、ＣＥデバイスの音声（例えば、音声入力）が、ＡＶコンテンツ（この場合には、カー・チェイスのＡＶコンテンツ）に関連する音声から、緊急警報に関する音声に切り替えられていることを示すテキスト１０４を含む。警報１０２は、ＣＥデバイスが警報情報／メタデータを受信することに応答して、ユーザ入力がなくとも自動的にＣＥデバイスに提示される第１の警報／情報とすることができ、或いは別の実施形態では、警報１０２は、警報１０２の提示前に警報９８に関する提示の閾値時間が経過した後に、ユーザ入力がなくとも自動的に提示することができる。
【００４６】
ここで図８を説明すれば、この場合もやはり、映像９０がディスプレイ９２に提示されている。視覚障害者向け警報１０６がディスプレイ９２に提示され、この警報１０６は、緊急事態に関する緊急警報及び／又は情報が利用可能であるが、ＣＥデバイス上で少なくとも聴覚的に（及び／又は視覚的に）提供できないことを示すテキスト１０８を含み、いくつかの実施形態では、テキスト１０８は、警報／情報を視覚的にも又は聴覚的にも提供できないことを示す場合がある。警報１０６は、ＣＥデバイスが警報情報／メタデータを受信することに応答して、ユーザ入力がなくとも自動的にＣＥデバイスに提示される第１の警報及び／又は情報とすることができ、或いは別の実施形態では、警報１０６は、警報１０６の提示前に警報９８及び／又は１０２（例えば、順に）の提示の閾値時間が経過した後に、ユーザ入力がなくとも自動的に提示することができる。
【００４７】
図９を参照すれば、映像９０がディスプレイ９２に提示されている。視覚障害者向け警報１１０がディスプレイ９２に提示され、この警報１１０は、本原理により緊急警報／情報に関する情報を別の場所で求めるべきであることを示すテキスト１１２を含み、いくつかの実施形態では、テキスト１１２は、警報／情報を取得する例及び／又はそのための好適な他の手段、例えば、別のチャンネルに同調させて、別のチャンネルを用いてＣＥデバイスに提示するための緊急警報／情報を検索すること（例えば、ニュースの生放送に同調させる、或いは別のチャンネルのストリーム内に多重された又はそれ以外の方法で含まれる、本原理による警報情報の提示のいずれか又は両方によって）、ＡＭ／ＦＭラジオ、及び実際にはＸＭラジオさえも用いてラジオ局に同調させること、及び／又はインターネットを用いて情報を取得すること（例えば、ニュースのウェブサイト又は政府機関のウェブサイトを検索する）、などを提供することができる。警報１１０は、ＣＥデバイスが警報情報／メタデータを受信することに応答して、ユーザ入力がなくとも自動的にＣＥデバイスに提示される第１の警報及び／又は情報とすることができ、或いは別の実施形態では、警報１１０は、警報１１０の提示前に警報９８、１０２、及び／又は１０６（例えば、順に）の提示の閾値時間が経過した後に、ユーザ入力がなくとも自動的に提示することができる。
【００４８】
図１０は、この場合もやはり、ディスプレイ９２に提示された映像９０が示されている。視覚障害者向け警報１１４が図１０にも示されており、この警報１１４は、本原理により緊急警報／情報が副音声ストリームで利用可能であることを示すテキスト１１６を含む。警報１１４は、ＣＥデバイスが警報情報／メタデータを受信することに応答して、ユーザ入力がなくとも自動的にＣＥデバイスに提示される第１の警報及び／又は情報とすることができ、或いは別の実施形態では、警報１１４は、警報１１４の提示前に警報９８、１０２、及び／又は１１０（例えば、順に）の提示の閾値時間が経過した後に、ユーザ入力がなくとも自動的に提示することができる。
【００４９】
図１１は、同様に、ディスプレイ９２上の映像９０を示しており、更に、警報１１８よりも前に警報１１４が（例えば、順に）提示された場合には、リモート・コントロール／コマンダの音声入力ボタンを操作して、例えば警報１１４に示されたような、例えば副音声ストリームに切り替えることができることを示すテキスト１２０を含む視覚障害者向け警報１１８を含む。したがって、警報１１８は、警報１１８の提示前に警報９８、１０２、１１０、及び／又は１１４（例えば、順に）の提示の閾値時間が経過した後に、ユーザ入力がなくとも自動的に提示することができる。しかしながら、いくつかの実施形態では、警報１１８は、ＣＥデバイスが警報情報／メタデータを受信することに応答して、ユーザ入力がなくとも自動的にＣＥデバイスに提示される第１の警報及び／又は情報とすることができることを理解されたい。
【００５０】
図１２について説明する前に、警報６４、９８、１０２、１０８、１１０、１１４、及び１１８に含まれるテキストのいずれか及び／又はすべては、本原理により種々の実施形態において互いに組み合わせられること、ユーザの興味を引くために点滅できること、及び／又はユーザの興味を引く（例えば赤のような）種々の強調表示又はフォント、その他で提示できることを理解されたい。したがって、警報６４、９８、１０２、１０８、１１０、１１４、及び１１８は例示的なものであると理解される。
【００５１】
図１２を参照しながら詳細な説明を完結すると、視覚障害者向け設定ＵＩ１２２を示しており、これは、ユーザが操作して、本原理により１つ又はそれ以上の視覚障害者向け設定をアクティブに設定するように構成されている。このような設定の実施例は、限定されるものではないが、フォントサイズ選択肢（視覚障害者向けに、より大きく）、コントラスト強調（例えば、カラーの代わりに白黒のコントラストを使用）、灰色の代わりに視覚障害の視聴者向けに白又は黒の背景を使用することを含む。
【００５２】
特定の例示的な実施形態において、ＵＩ１２２は、それ自体の個別のＵＩを構成すること、又は視覚障害がないユーザに関連する機能に関する設定選択肢を含むＣＥデバイス設定ＵＩの一部分を成すことができる。上記に関わらず、例示的なＵＩ１２２は、テキスト１２４の下に提示されるものが、設定ＵＩ１２２が提示されるＣＥデバイスに関する視覚障害者向け設定に関連することを示すテキスト１２４を含む。少なくとも第１の設定１２６がＵＩ１２２に提示され、第１の設定１２６は、例えば、視覚障害を有する人にとってより容易に識別可能な比較的より大きいテキストサイズでコンテンツを提示すること、本原理により、緊急警報情報の受信時に副音声に自動的に切り替えるべきか否か（テキスト１２８によって示されるように）、その他のような、ＣＥデバイス上でのコンテンツの提示に関する視覚障害者向け構成に関連する。したがって、オン・セレクタ１３０及びオフ・セレクタ１３２は各々、提示され選択可能であり、設定１２６は、それぞれアクティブ又は非アクティブのいずれかに設定される。
【００５３】
ＵＩ１２２には、テキストに含まれる情報及び／又はテキスト自体（例えば、字幕のテキスト、画面上でスクロールするときにスキャンされるスクロール緊急情報、その他）をＣＥデバイスに聴覚的に提示する（テキスト１３６によって示すように）ために、映像内に提示されたテキストをスキャンすることに関連する第２の設定１３４が示されている。オン・セレクタ１３８及びオフ・セレクタ１４０は各々、提示され選択可能であり、設定１３４は、それぞれアクティブ又は非アクティブのいずれかに設定される。最後に、保存セレクタ１４２がＵＩ１２２に提示されており、これは、設定１２６及び１３４のユーザ設定を保存するために選択可能であることに留意されたい。
【００５４】
ここで、いずれの図面も特に参照することなく、本原理は、ＨＤＴＶのようなＣＥデバイスの視覚障害のユーザに、緊急警報及び／又は情報を伝達するための方法、システム、及び装置を提供し、これらは、時間が最も重要な場合に、ユーザが例えば、このような情報へのより良いアクセスを得るためにリモート・コマンダで「細かく操作する」、及び／又は緊急事態中に緊急事態関連の音声を聴取するためにＣＥデバイス設定を切り替える必要がないということを理解することができる。更に、本原理は、緊急警報に関連するデータを受信した後に、第１の音声から第２の音声に切り替えるためのユーザ入力を受け取らなくとも自動的に、このような緊急警報／情報を含む「副音声」をＣＥデバイスに提示できることを認識する。必要に応じて、警報／情報は、ＣＥデバイスに副音声を提示するための音声データと、ＣＥデバイスで受信された際に、ＣＥデバイスプロセッサが第２の音声に切り替えることを、少なくとも部分的に引き起こす及び／又はトリガするメタデータと、の両方を含むことができる。更に必要に応じて、警報／情報の受信に応答して、警報／情報を提示及び／又は重ね合わせるための何らかのユーザ入力がなくとも自動的に、ＡＶコンテンツの映像上に警報／情報を視覚的に重ね合わせることができる。警報／情報が映像上に視覚的に重ね合わされる及び／又は可聴提示のためにスキャンされる場合の実施形態では、警報／情報を聴覚的に提示する前に、視覚的な重ね合わせ、及び／又はスクロール／クローリングする情報が、緊急警報に関連することを判定することができる（例えば、視覚的に提示された情報を、ＣＥデバイスにローカルに保存された緊急事態関連のキーワードのデータベースと比較することによって、警報／情報が実際に緊急警報に関連することの判定がトリガされる）。
【００５５】
更に、本明細書で説明し、ＡＶコンテンツの音声ではなく緊急警報／情報に関連する第２／副音声は、ＡＶコンテンツからの音声を提示しない（例えば、消音）点で別々に提示すること、或いは、ＡＶコンテンツの音声と共に提示することができる（ただし例えば、副音声がＡＶコンテンツの音声よりも大きい音量で提示される）。完全を期して、本原理は更に、上述の説明は、緊急警報及び／又は情報の受信に応答して生じるものに言及している場合があると認識するが、それにも関わらず、本原理は、警報／情報の受信に応答して実行される同じ状況を更に又は代替的に、本明細書で説明するような可聴音（例えば、それのみ）の受信に応答して実行することができると認識する（例えば、警報／情報自体を受信する前の時点で可聴音を受信する事例において）。
【００５６】
本明細書では、具体的な、緊急放送中の主音声から副音声への自動切り替えを詳細に示して説明しているが、本発明によって包含される主題は、特許請求の範囲によってのみ限定されることを理解されたい。
【符号の説明】
【００５７】
１４  ディスプレイ
１６  スピーカ
１８  入力デバイス
２０  プロセッサ
２２  ネットワークインタフェース
２４  インターネット
２６  ＡＶインタフェース
２８  媒体
３０  チューナ
３２  ＧＰＳ受信機
３４  送信機／受信機
３６  リモート・コマンダ
３８  送信機
４０  入力
４２  プロセッサ
４４  媒体
４６  サーバ
４８  プロセッサ
５０  媒体
５２  ネットワークインタフェース
５４  ケーブルヘッドエンド
【図１】
2015037324.tif 000003
【図２】
2015037324.tif 000004
【図３】
2015037324.tif 000005
【図４】
2015037324.tif 000006
【図５】
2015037324.tif 000007
【図６】
2015037324.tif 000008
【図７】
2015037324.tif 000009
【図８】
2015037324.tif 000010
【図９】
2015037324.tif 000011
【図１０】
2015037324.tif 000012
【図１１】
2015037324.tif 000013
【図１２】
2015037324.tif 000014
【外国語明細書】
2015037324000001.pdf